(57)【要約】ケーブル放送用のアンテナ入力と地上波放送用や衛星放送用のアンテナ入力を持ち、常時ＯＯＢ信号を受信でき、ケーブル放送のチャンネル選局と地上波放送や衛星放送用のチャンネルを自由に選局できるアンテナ切換え装置及びその方法が提供される。このアンテナ切換え装置及びその方法は、地上波放送信号を選択手段に入力し、ケーブル放送信号を分配手段で分配してＯＯＢチューナ及び選択手段に入力し、選択手段で選択した信号をＡ／Ｄ共用チューナに入力する。こうすることで常時ＯＯＢ信号を受信しつつケーブル放送の選局と地上波放送や衛星放送の選局をすることができる。
2004071080.tif 000002
【特許請求の範囲】
【請求項１】
ケーブル放送信号を受信する第１の入力手段と、
地上波放送信号または衛星放送信号を受信する第２の入力手段と、
前記第１の入力手段からのケーブル放送信号を分配して第１のケーブル放送信号と第２のケーブル放送信号とを出力する第１の分配手段と、
前記第２の入力手段からの地上波放送信号または衛星放送信号と、前記第１のケーブル放送信号とのいずれかを選択する選択手段と、
前記第２のケーブル放送信号の出力、または前記第２のケーブル放送信号から抽出したＯＯＢ信号の出力を行う第１の出力手段と、
前記選択手段からの信号を出力する第２の出力手段と
を具備するアンテナ切換え装置。
【請求項２】
前記第２のケーブル放送信号を分配して第３のケーブル放送信号と第４のケーブル放送信号を出力する第２の分配手段と、
前記第４のケーブル放送信号を出力する第３の出力手段と
を更に具備し、
前記第１の出力手段は前記第３のケーブル放送信号の出力、または前記第３のケーブル放送信号から抽出したＯＯＢ信号の出力を行う
請求項１に記載のアンテナ切換え装置。
【請求項３】
第４の出力手段を更に具備し、
前記第１の分配手段は前記第１の入力手段からのケーブル放送信号を分配して前記第１のケーブル放送信号と第３のケーブル放送信号と第４のケーブル放送信号を出力し、
前記第１の出力手段は前記第３のケーブル放送信号の出力、または前記第３のケーブル放送信号から抽出したＯＯＢ信号の出力を行い、
前記第４の出力手段は前記第４のケーブル放送信号を出力する請求項１に記載のアンテナ切換え装置。
【請求項４】
ケーブル放送信号を受信するステップと、
地上波放送信号または衛星放送信号を受信するステップと、
前記受信したケーブル放送信号を分配して第１のケーブル放送信号と第２のケーブル放送信号とを出力するステップと、
前記受信した地上波放送信号または衛星放送信号と、前記第１のケーブル放送信号のいずれかを選択して出力するステップと、
前記第２のケーブル放送信号の出力、または前記第２のケーブル放送信号から抽出したＯＯＢ信号の出力を行うステップと
を具備するアンテナ切換え方法。
【請求項５】
ケーブル放送信号を受信するステップと、
地上波放送信号または衛星放送信号を受信するステップと、
前記受信したケーブル放送信号を分配して第１のケーブル放送信号と第２のケーブル放送信号とを出力するステップと、
前記第２のケーブル放送信号を分配して第３のケーブル放送信号と第４のケーブル放送信号を出力するステップと、
前記受信した地上波放送信号または衛星放送信号と、前記第１のケーブル放送信号のいずれかを選択して出力するステップと、
前記第３のケーブル放送信号の出力、または前記第３のケーブル放送信号から抽出したＯＯＢ信号の出力を行うステップと
前記第４のケーブル放送信号を出力するステップと
を具備するアンテナ切換え方法。
【請求項６】
ケーブル放送信号を受信するステップと、
地上波放送信号または衛星放送信号を受信するステップと、
前記受信したケーブル放送信号を分配して第１のケーブル放送信号と第３のケーブル放送信号と第４のケーブル放送信号とを出力するステップと、
前記受信した地上波放送信号または衛星放送信号と、前記第１のケーブル放送信号のいずれかを選択して出力するステップと、
前記第３のケーブル放送信号の出力、または前記第３のケーブル放送信号から抽出したＯＯＢ信号の出力を行うステップと
前記第４のケーブル放送信号を出力するステップと
を具備するアンテナ切換え方法。
【発明の詳細な説明】
【技術分野】  本発明は、テレビジョン受信機に適用されるアンテナ切換え装置及びその方法に関する。
【背景技術】  現在、放送形態は地上波放送、衛星放送、ケーブル放送の３種類に分類され、放送波の変調方式も多種にわたる。このような背景のもと、複数のアンテナ入力端子を持つアンテナ切換え装置が開発されている。
ここで、図４は従来のアンテナ切換え装置の構成を示す。図４において、第１のアンテナ入力端子４０１にケーブル放送のケーブルが接続され、第２のアンテナ入力端子４０２に地上波放送アンテナが接続されているとする。視聴者がケーブル放送のチャンネルを選局した場合、マイコン４０６はセレクタ４０３がＡ点に閉じるように制御する。そうして、ケーブル放送信号は第２の出力端子４０４を介してＡ／Ｄ共用チューナ４０５に出力される。Ａ／Ｄ共用チューナ４０５は、アナログ放送とデジタル放送との共用チューナである。
また、地上波放送のチャンネルを選局した場合、マイコン４０６はセレクタ４０３がＢ点に閉じるように制御し、地上波放送入力信号をＡ／Ｄ共用チューナ４０５に出力するように制御する。このように、セレクタ４０３によりＡ／Ｄ共用チューナ４０５に出力される入力信号を選択することで所望のチャンネルを選局することができる。このようなアンテナ切換え装置は例えば、特開平０４−２７４６８３号公報に開示されている。
しかしながら、上記従来のアンテナ切換え装置では、地上波放送チャンネルを選局している時にケーブル放送のチャンネル情報を含むＯＯＢ（Ｏｕｔ  Ｏｆ  Ｂａｎｄ）信号を受信できないという問題点がある。
図４に示された従来のアンテナ切換え装置では、地上波放送チャンネルを選局している時には、ケーブル放送のチャンネル情報を含むＯＯＢ信号を受信できない。ケーブル放送を選局しようとした場合は、セレクタ４０３がケーブル放送信号側に閉じられる。Ａ／Ｄ共用チューナ４０５は、セレクタ４０３がケーブル放送信号側に閉じられて以降でなければチャンネル情報含むＯＯＢ信号を受信することができない。即ち、Ａ／Ｄ共用チューナ４０５は、セレクタ４０３がケーブル放送信号側に閉じられた時点ではケーブル放送のチャンネル情報を得てはいない。Ａ／Ｄ共用チューナ４０５は、チャンネル情報信号を復元した後でなければ選局動作を実行できない。しかし、Ａ／Ｄ共用チューナ４０５は、セレクタ４０３がケーブル放送信号側に閉じられて以降ＯＯＢ信号を基にしてチャンネル情報信号を復元するのに時間を要する。
このように、図４に示された従来のアンテナ切換え装置では、地上波放送チャンネルを選局している状態からケーブル放送の選局に移る時に、ケーブル放送の選局動作が実行されるまでに時間を要する。これが大きな課題である。
【発明の開示】
アンテナ切換え装置は、
ケーブル放送信号を受信する第１の入力手段と、
地上波放送信号または衛星放送信号を受信する第２の入力手段と、
第１の入力手段からのケーブル放送信号を分配して第１のケーブル放送信号と第２のケーブル放送信号とを出力する第１の分配手段と、
第２の入力手段からの地上波放送信号または衛星放送信号と、第１のケーブル放送信号とのいずれかを選択する選択手段と、
第２のケーブル放送信号の出力、または第２のケーブル放送信号から抽出したＯＯＢ信号の出力を行う第１の出力手段と、
選択手段からの信号を出力する第２の出力手段と
を具備する。
アンテナ切換え方法は、
ケーブル放送信号を受信するステップと、
地上波放送信号または衛星放送信号を受信するステップと、
受信したケーブル放送信号を分配して第１のケーブル放送信号と第２のケーブル放送信号とを出力するステップと、
受信した地上波放送信号または衛星放送信号と、第１のケーブル放送信号のいずれかを選択して出力するステップと、
第２のケーブル放送信号の出力、または第２のケーブル放送信号から抽出したＯＯＢ信号の出力を行うステップと
を具備する。
【図面の簡単な説明】  図１は本発明の実施の形態１におけるアンテナ切換え装置の構成を示すブロック図である。
図２は本発明の実施の形態２におけるアンテナ切換え装置の構成を示すブロック図である。
図３は本発明の実施の形態２におけるアンテナ切換え装置の他の構成を示すブロック図である。
図４は従来のアンテナ切換え装置の構成を示すブロック図である。
【発明を実施するための最良の形態】  本発明は、上記従来の問題点に鑑みてなされたものである。即ち、本発明はＯＯＢ信号を常時受信することが可能で、地上波放送と衛星放送とケーブル放送のいずれのチャンネルも選局することが可能なアンテナ切換え装置及びその方法を提供することを目的とする。
（実施の形態１）
図１は、本実施の形態１におけるアンテナ切換え装置の構成を示すブロック図である。図１とともに、アンテナ切換え装置の動作を以下に説明する。図１において、第１のアンテナ入力端子１０１にケーブル放送のケーブルが、第２のアンテナ入力端子１０２に地上波放送アンテナが接続されているとする。第１のアンテナ入力端子１０１に入力されたケーブル放送信号は、第１の分配器１０３で２つの信号に分配される。この分配された２つの信号は、一方は第１のケーブル放送信号であり、他方は第２のケーブル放送信号である。第１のケーブル放送信号はセレクタ１０４に、第２のケーブル放送信号は第１の出力端子１０５を経由してＯＯＢ（Ｏｕｔ  Ｏｆ  Ｂａｎｄ）チューナ１０７に入力される。
ケーブル放送信号には、Ｉｎ−Ｂａｎｄ信号とＯＯＢ信号の２つが多重されている。一般にＩｎ−Ｂａｎｄ信号には映像や音声等が、ＯＯＢ信号には暗号キーやチャンネル情報等が含まれている。第１の分配器１０３は、Ｉｎ−Ｂａｎｄ信号とＯＯＢ信号の両方を含んだ第１のケーブル放送信号をセレクタ１０４へ出力し、第２のケーブル放送信号を第１の出力端子１０５へ出力する。こうすることにより、ＯＯＢチューナ１０７は、セレクタ１０４の接続状態に関係なくケーブル放送信号のＯＯＢ信号を常時受信することができる。
第２のアンテナ入力端子１０２に入力された地上波放送信号はセレクタ１０４に入力される。セレクタ１０４は、第１の分配器１０３から入力された第１のケーブル放送信号と、第２のアンテナ入力端子１０２から入力された地上波放送信号との何れか一方を選択する。セレクタ１０４は、選択した信号を第２の出力端子１０６を経由してＡ／Ｄ共用チューナ１０８に出力する。Ａ／Ｄ共用チューナ１０８はアナログ放送とデジタル放送との共用チューナであり、地上波放送も衛星放送もケーブル放送もチューニング可能なものである。
尚、第１のアンテナ入力端子１０１の後には必要応じて増幅器等が挿入される。図１にはその増幅器等は記載されていない。第１のアンテナ入力端子１０１とその増幅器等で第１の入力手段が形成されている。
また、第２のアンテナ入力端子１０２の後にも必要応じて増幅器等が挿入される。図１にはその増幅器等は記載されていない。第２のアンテナ入力端子１０２とその増幅器等で第２の入力手段が形成されている。
また、第２の出力端子１０６の前にも必要応じて増幅器等が挿入される。図１にはその増幅器等は記載されていない。第２の出力端子１０６とその増幅器等で第２の出力手段が形成されている。
また、第１の出力端子１０５の前には必要応じてＯＯＢ信号抽出器やフィルターや増幅器等が挿入される。ＯＯＢ信号抽出器は、ケーブル放送信号からＯＯＢ信号を抽出する回路である。ＯＯＢ信号抽出回路が挿入されている場合は、第１の出力端子１０５から出力される信号は第２のケーブル放送信号のＯＯＢ信号である。ＯＯＢ信号抽出回路が挿入されていない場合は、第１の出力端子１０５から出力される信号はＩｎ−Ｂａｎｄ信号も全て含んだ第２のケーブル放送信号である。図１にはこれらのＯＯＢ信号抽出器や増幅器等は記載されていない。第１の出力端子１０５とこれらのＯＯＢ信号抽出器や増幅器等で第１の出力手段が形成されている。
また、セレクタ１０４の前後にも必要応じて増幅器等が挿入される。図１にはその増幅器等は記載されていない。セレクタ１０４とその増幅器等で選択手段が形成されている。
また、第１の分配器１０３の前後にも必要応じて増幅器等が挿入される。図１にはその増幅器等は記載されていない。第１の分配器１０３とその増幅器等で第１の分配手段が形成されている。
また、ＯＯＢチューナ１０７は、ＯＯＢ信号の処理に特化したチューナであっても良いし、ＯＯＢ信号のみならず映像や音声も処理できるチューナであっても良い。ＯＯＢチューナ１０７で復元されたチャネル情報や暗号キー等は、マイコン１０９を介してＡ／Ｄ共用チューナ１０８へ入力されている。
視聴者がケーブル放送のチャンネルを選局した場合、マイコン１０９はセレクタ１０４をＡ点に閉じさせ、第１のケーブル放送信号をＡ／Ｄ共用チューナ１０８に出力するよう制御する。一方、地上波放送のチャンネルを選局した場合、マイコン１０９はセレクタ１０４をＢ点に閉じさせ、地上波放送信号をＡ／Ｄ共用チューナ１０８に出力するように制御する。
地上波放送信号を選局している状態で、視聴者がケーブル放送のチャンネルの選局に移る場合の動作を以下に説明する。地上波放送信号を選局している状態であっても、第１の分配器１０３からの第２のケーブル放送信号は第１の出力端子１０５を介してＯＯＢチューナ１０７に入力されている。即ち、地上波放送信号を選局している状態であっても、ＯＯＢチューナ１０７は常時第２のケーブル放送信号或いはそのＯＯＢ信号を受信しているので、暗号キーやチャンネル情報等を復元できている。従って、地上波放送信号を選局している状態からケーブル放送のチャンネルの選局に移ろうとした際、Ａ／Ｄ共用チューナ１０８はＯＯＢチューナ１０７からの暗号キーやチャンネル情報等を基にして即座にケーブル放送のチャンネル選局を実施できる。
以上のように、本実施の形態によれば、常時ＯＯＢ信号を受信しつつ、地上波放送、ケーブル放送いずれのチャンネルも選局することが可能となる。
（実施の形態２）
図２は、本発明の実施の形態２におけるアンテナ切換え装置の構成を示すブロック図である。本実施の形態のアンテナ切換え装置は図２に示すように、実施の形態１の構成に対して第２の分配器２０１、第３の出力端子２０２、ＰＩＰ用チューナ２０３を更に備えている。図１と同一のブロックは同一の符号を付け、それらの説明を省略する。
第１の分配器１０３から出力される第２のケーブル放送信号は第２の分配器２０１に入力される。第２の分配器２０１は第２のケーブル放送信号を分配して第３のケーブル放送信号と第４のケーブル放送信号を出力する。第３のケーブル放送信号は第１の出力端子１０５を経由しＯＯＢチューナ１０７に出力される。第４のケーブル放送信号は第３の出力端子２０２を経由して２画面表示を行うためのチューナであるＰＩＰ用チューナ２０３に出力される。ＰＩＰはＰｉｃｔｕｒｅ  Ｉｎ  Ｐｉｃｔｕｒｅのことである。Ｐｉｃｔｕｒｅ  Ｉｎ  Ｐｉｃｔｕｒｅ機能は、同時に複数の放送チャネルの映像を画面に表示する機能である。複数の放送チャネルの映像を画面に表示する形態としては、一方の放送チャネルの映像を縮小して他方の放送チャネルの映像画面の一部に挿入する方式が一般的である。即ち、Ａ／Ｄ共用チューナ１０８で選局された放送の映像とＰＩＰ用チューナ２０３で選局された放送の映像とにおいて、一方の映像が縮小されて他方の映像の一部に挿入される。
視聴者がＡ／Ｄ共用チューナ１０８用に地上波放送チャンネルを選局させているときでも、ＯＯＢチューナ１０７およびＰＩＰ用チューナ２０３には常時ケーブル放送信号が入力されている。そのため、ＯＯＢ信号を常時受信しつつ、地上波放送とケーブル放送の２画面表示が可能となる。また、視聴者がＡ／Ｄ共用チューナ１０８用にケーブル放送を選局させている場合、ＯＯＢ信号を常時受信しながらケーブル放送の異なるチャンネルの２画面表示が可能となる。
なお、第３の出力端子２０２の前には必要応じて増幅器等が挿入される。図２にはその増幅器等は記載されていない。第３の出力端子２０２とその増幅器等で第３の出力手段が形成されている。
また、第２の分配器２０１の前後にも必要応じて増幅器等が挿入される。図２にはその増幅器等は記載されていない。第２の分配器２０１とその増幅器等で第２の分配手段が形成されている。
次に、実施の形態２における他の構成を図３とともに説明する。図３は実施の形態２における他の構成を示すブロック図である。図３の構成では、図２の構成での第２の分配器２０１が存在せず、図２での第１の分配器１０３の代わりに第３の分配器３０１が挿入されている。図２と同一のブロックは同一の符号を付け、それらの説明を省略する。
図３において、第１のアンテナ入力端子１０１に入力されたケーブル放送信号は、第３の分配器３０１で３つに分配される。この分配された３つの信号は、第１のケーブル放送信号と第３のケーブル放送信号と第４のケーブル放送信号とである。第１のケーブル放送信号はセレクタ１０４へ入力される。第３のケーブル放送信号は第２の出力端子１０５を介してＯＯＢチューナ１０７入力される。第４のケーブル放送信号は第３の出力端子２０２を介してＰＩＰ用チューナ２０３入力される。
尚、第３の分配器３０１の前後には必要応じて増幅器等が挿入される。図３にはその増幅器等は記載されていない。第３の分配器３０１とその増幅器等で第３の分配手段が形成されている。
図３の構成でも、図２での構成と同じ効果が得られることは言うまでもない。
ところで、本発明の実施の形態１および実施の形態２において、第２のアンテナ入力端子１０２に接続されるアンテナを地上波放送アンテナとしたが、衛星放送用アンテナとしても構わない。また、本発明の実施の形態２において、ＰＩＰ用チューナ２０３を裏録画用チューナとしても構わない。
以上のように本発明のアンテナ切換え装置によれば、ケーブル放送入力信号を分配して、その１つをＯＯＢチューナに常時入力する。こうすることで、常時ＯＯＢ信号を受信しつつ、地上波放送や衛星放送やケーブル放送何れのチャンネルも選局することが可能となる。
【産業上の利用可能性】  本発明によるアンテナ切換え装置及びその方法は、地上波放送や衛星放送を選局しているときでも、ケーブル放送のＯＯＢ信号を常時受信することが出来る。その為、地上波放送や衛星放送を選局している状態からケーブル放送のチャンネル選局を即座に実行することが可能である。
図面の参照符号の一覧表
１０１    第１のアンテナ入力端子
１０２    第２のアンテナ入力端子
１０３    第１の分配器
１０４    セレクタ
１０５    第１の出力端子
１０６    第２の出力端子
１０７    ＯＯＢチューナ
１０８    Ａ／Ｄ共用チューナ
１０９    マイコン
２０１    第２の分配器
２０２    第３の出力端子
２０３    ＰＩＰ用チューナ
３０１    第３の分配器
【図１】
2004071080.tif 000003
【図２】
2004071080.tif 000004
【図３】
2004071080.tif 000005
【図４】
2004071080.tif 000006
【手続補正書】
【提出日】平成16年7月12日(2004.7.12)
【手続補正１】
【補正対象書類名】特許請求の範囲
【補正対象項目名】全文
【補正方法】変更
【補正の内容】
【特許請求の範囲】
【請求項１】
ケーブル放送信号を受信する第１の入力手段と、
地上波放送信号または衛星放送信号を受信する第２の入力手段と、
前記第１の入力手段からのケーブル放送信号を分配して第１のケーブル放送信号と第２のケーブル放送信号とを出力する第１の分配手段と、
前記第２の入力手段からの地上波放送信号または衛星放送信号と、前記第１のケーブル放送信号とのいずれかを選択する選択手段と、
前記第２のケーブル放送信号の出力、または前記第２のケーブル放送信号から抽出したＯＯＢ信号の出力を行う第１の出力手段と、
前記選択手段からの信号を出力する第２の出力手段と
を具備するアンテナ切換え装置。
【請求項２】
前記第２のケーブル放送信号を分配して第３のケーブル放送信号と第４のケーブル放送信号を出力する第２の分配手段と、
前記第４のケーブル放送信号を出力する第３の出力手段と
を更に具備し、
前記第１の出力手段は前記第３のケーブル放送信号の出力、または前記第３のケーブル放送信号から抽出したＯＯＢ信号の出力を行う
請求項１に記載のアンテナ切換え装置。
【請求項３】
第４の出力手段を更に具備し、
前記第１の分配手段は前記第１の入力手段からのケーブル放送信号を分配して前記第１のケーブル放送信号と第３のケーブル放送信号と第４のケーブル放送信号を出力し、
前記第１の出力手段は前記第３のケーブル放送信号の出力、または前記第３のケーブル放送信号から抽出したＯＯＢ信号の出力を行い、
前記第４の出力手段は前記第４のケーブル放送信号を出力する
請求項１に記載のアンテナ切換え装置。
【請求項４】
ケーブル放送信号を受信するステップと、
地上波放送信号または衛星放送信号を受信するステップと、
前記受信したケーブル放送信号を分配して第１のケーブル放送信号と第２のケーブル放送信号とを出力するステップと、
前記受信した地上波放送信号または衛星放送信号と、前記第１のケーブル放送信号のいずれかを選択して出力するステップと、
前記第２のケーブル放送信号の出力、または前記第２のケーブル放送信号から抽出したＯＯＢ信号の出力を行うステップと
を具備するアンテナ切換え方法。
【請求項５】
ケーブル放送信号を受信するステップと、
地上波放送信号または衛星放送信号を受信するステップと、
前記受信したケーブル放送信号を分配して第１のケーブル放送信号と第２のケーブル放送信号とを出力するステップと、
前記第２のケーブル放送信号を分配して第３のケーブル放送信号と第４のケーブル放送信号を出力するステップと、
前記受信した地上波放送信号または衛星放送信号と、前記第１のケーブル放送信号のいずれかを選択して出力するステップと、
前記第３のケーブル放送信号の出力、または前記第３のケーブル放送信号から抽出したＯＯＢ信号の出力を行うステップと
前記第４のケーブル放送信号を出力するステップと
を具備するアンテナ切換え方法。
【請求項６】
ケーブル放送信号を受信するステップと、
地上波放送信号または衛星放送信号を受信するステップと、
前記受信したケーブル放送信号を分配して第１のケーブル放送信号と第３のケーブル放送信号と第４のケーブル放送信号とを出力するステップと、
前記受信した地上波放送信号または衛星放送信号と、前記第１のケーブル放送信号のいずれかを選択して出力するステップと、
前記第３のケーブル放送信号の出力、または前記第３のケーブル放送信号から抽出したＯＯＢ信号の出力を行うステップと
前記第４のケーブル放送信号を出力するステップと
を具備するアンテナ切換え方法。
【手続補正２】
【補正対象書類名】明細書
【補正対象項目名】全文
【補正方法】変更
【補正の内容】
【発明の詳細な説明】
【技術分野】
【０００１】
本発明は、テレビジョン受信機に適用されるアンテナ切換え装置及びその方法に関する。
【背景技術】
【０００２】
現在、放送形態は地上波放送、衛星放送、ケーブル放送の３種類に分類され、放送波の変調方式も多種にわたる。このような背景のもと、複数のアンテナ入力端子を持つアンテナ切換え装置が開発されている。
【０００３】
ここで、図４は従来のアンテナ切換え装置の構成を示す。図４において、第１のアンテナ入力端子４０１にケーブル放送のケーブルが接続され、第２のアンテナ入力端子４０２に地上波放送アンテナが接続されているとする。視聴者がケーブル放送のチャンネルを選局した場合、マイコン４０６はセレクタ４０３がＡ点に閉じるように制御する。そうして、ケーブル放送信号は第２の出力端子４０４を介してＡ／Ｄ共用チューナ４０５に出力される。Ａ／Ｄ共用チューナ４０５は、アナログ放送とデジタル放送との共用チューナである。
【０００４】
また、地上波放送のチャンネルを選局した場合、マイコン４０６はセレクタ４０３がＢ点に閉じるように制御し、地上波放送入力信号をＡ／Ｄ共用チューナ４０５に出力するように制御する。このように、セレクタ４０３によりＡ／Ｄ共用チューナ４０５に出力される入力信号を選択することで所望のチャンネルを選局することができる。このようなアンテナ切換え装置は例えば、特開平０４−２７４６８３号公報に開示されている。
【発明の開示】
【発明が解決しようとする課題】
【０００５】
しかしながら、上記従来のアンテナ切換え装置では、地上波放送チャンネルを選局している時にケーブル放送のチャンネル情報を含むＯＯＢ（Ｏｕｔ  Ｏｆ  Ｂａｎｄ）信号を受信できないという問題点がある。
【０００６】
図４に示された従来のアンテナ切換え装置では、地上波放送チャンネルを選局している時には、ケーブル放送のチャンネル情報を含むＯＯＢ信号を受信できない。ケーブル放送を選局しようとした場合は、セレクタ４０３がケーブル放送信号側に閉じられる。Ａ／Ｄ共用チューナ４０５は、セレクタ４０３がケーブル放送信号側に閉じられて以降でなければチャンネル情報含むＯＯＢ信号を受信することができない。即ち、Ａ／Ｄ共用チューナ４０５は、セレクタ４０３がケーブル放送信号側に閉じられた時点ではケーブル放送のチャンネル情報を得てはいない。Ａ／Ｄ共用チューナ４０５は、チャンネル情報信号を復元した後でなければ選局動作を実行できない。しかし、Ａ／Ｄ共用チューナ４０５は、セレクタ４０３がケーブル放送信号側に閉じられて以降ＯＯＢ信号を基にしてチャンネル情報信号を復元するのに時間を要する。
【０００７】
このように、図４に示された従来のアンテナ切換え装置では、地上波放送チャンネルを選局している状態からケーブル放送の選局に移る時に、ケーブル放送の選局動作が実行されるまでに時間を要する。これが大きな課題である。
【課題を解決するための手段】
【０００８】
アンテナ切換え装置は、ケーブル放送信号を受信する第１の入力手段と、地上波放送信号または衛星放送信号を受信する第２の入力手段と、第１の入力手段からのケーブル放送信号を分配して第１のケーブル放送信号と第２のケーブル放送信号とを出力する第１の分配手段と、第２の入力手段からの地上波放送信号または衛星放送信号と、第１のケーブル放送信号とのいずれかを選択する選択手段と、第２のケーブル放送信号の出力、または第２のケーブル放送信号から抽出したＯＯＢ信号の出力を行う第１の出力手段と、選択手段からの信号を出力する第２の出力手段とを具備する。
【０００９】
アンテナ切換え方法は、ケーブル放送信号を受信するステップと、地上波放送信号または衛星放送信号を受信するステップと、受信したケーブル放送信号を分配して第１のケーブル放送信号と第２のケーブル放送信号とを出力するステップと、受信した地上波放送信号または衛星放送信号と、第１のケーブル放送信号のいずれかを選択して出力するステップと、第２のケーブル放送信号の出力、または第２のケーブル放送信号から抽出したＯＯＢ信号の出力を行うステップとを具備する。
【発明の効果】
【００１０】
本発明によるアンテナ切換え装置及びその方法は、地上波放送や衛星放送を選局しているときでも、ケーブル放送のＯＯＢ信号を常時受信することが出来る。その為、地上波放送や衛星放送を選局している状態からケーブル放送のチャンネル選局を即座に実行することが可能である。
【発明を実施するための最良の形態】
【００１１】
本発明は、上記従来の問題点に鑑みてなされたものである。即ち、本発明はＯＯＢ信号を常時受信することが可能で、地上波放送と衛星放送とケーブル放送のいずれのチャンネルも選局することが可能なアンテナ切換え装置及びその方法を提供することを目的とする。
【００１２】
（実施の形態１）
図１は、本実施の形態１におけるアンテナ切換え装置の構成を示すブロック図である。図１とともに、アンテナ切換え装置の動作を以下に説明する。図１において、第１のアンテナ入力端子１０１にケーブル放送のケーブルが、第２のアンテナ入力端子１０２に地上波放送アンテナが接続されているとする。第１のアンテナ入力端子１０１に入力されたケーブル放送信号は、第１の分配器１０３で２つの信号に分配される。この分配された２つの信号は、一方は第１のケーブル放送信号であり、他方は第２のケーブル放送信号である。第１のケーブル放送信号はセレクタ１０４に、第２のケーブル放送信号は第１の出力端子１０５を経由してＯＯＢ（Ｏｕｔ  Ｏｆ  Ｂａｎｄ）チューナ１０７に入力される。
【００１３】
ケーブル放送信号には、Ｉｎ−Ｂａｎｄ信号とＯＯＢ信号の２つが多重されている。一般にＩｎ−Ｂａｎｄ信号には映像や音声等が、ＯＯＢ信号には暗号キーやチャンネル情報等が含まれている。第１の分配器１０３は、Ｉｎ−Ｂａｎｄ信号とＯＯＢ信号の両方を含んだ第１のケーブル放送信号をセレクタ１０４へ出力し、第２のケーブル放送信号を第１の出力端子１０５へ出力する。こうすることにより、ＯＯＢチューナ１０７は、セレクタ１０４の接続状態に関係なくケーブル放送信号のＯＯＢ信号を常時受信することができる。
【００１４】
第２のアンテナ入力端子１０２に入力された地上波放送信号はセレクタ１０４に入力される。セレクタ１０４は、第１の分配器１０３から入力された第１のケーブル放送信号と、第２のアンテナ入力端子１０２から入力された地上波放送信号との何れか一方を選択する。セレクタ１０４は、選択した信号を第２の出力端子１０６を経由してＡ／Ｄ共用チューナ１０８に出力する。Ａ／Ｄ共用チューナ１０８はアナログ放送とデジタル放送との共用チューナであり、地上波放送も衛星放送もケーブル放送もチューニング可能なものである。
【００１５】
尚、第１のアンテナ入力端子１０１の後には必要応じて増幅器等が挿入される。図１にはその増幅器等は記載されていない。第１のアンテナ入力端子１０１とその増幅器等で第１の入力手段が形成されている。
【００１６】
また、第２のアンテナ入力端子１０２の後にも必要応じて増幅器等が挿入される。図１にはその増幅器等は記載されていない。第２のアンテナ入力端子１０２とその増幅器等で第２の入力手段が形成されている。
【００１７】
また、第２の出力端子１０６の前にも必要応じて増幅器等が挿入される。図１にはその増幅器等は記載されていない。第２の出力端子１０６とその増幅器等で第２の出力手段が形成されている。
【００１８】
また、第１の出力端子１０５の前には必要応じてＯＯＢ信号抽出器やフィルターや増幅器等が挿入される。ＯＯＢ信号抽出器は、ケーブル放送信号からＯＯＢ信号を抽出する回路である。ＯＯＢ信号抽出回路が挿入されている場合は、第１の出力端子１０５から出力される信号は第２のケーブル放送信号のＯＯＢ信号である。ＯＯＢ信号抽出回路が挿入されていない場合は、第１の出力端子１０５から出力される信号はＩｎ−Ｂａｎｄ信号も全て含んだ第２のケーブル放送信号である。図１にはこれらのＯＯＢ信号抽出器や増幅器等は記載されていない。第１の出力端子１０５とこれらのＯＯＢ信号抽出器や増幅器等で第１の出力手段が形成されている。
【００１９】
また、セレクタ１０４の前後にも必要応じて増幅器等が挿入される。図１にはその増幅器等は記載されていない。セレクタ１０４とその増幅器等で選択手段が形成されている。
【００２０】
また、第１の分配器１０３の前後にも必要応じて増幅器等が挿入される。図１にはその増幅器等は記載されていない。第１の分配器１０３とその増幅器等で第１の分配手段が形成されている。
【００２１】
また、ＯＯＢチューナ１０７は、ＯＯＢ信号の処理に特化したチューナであっても良いし、ＯＯＢ信号のみならず映像や音声も処理できるチューナであっても良い。ＯＯＢチューナ１０７で復元されたチャネル情報や暗号キー等は、マイコン１０９を介してＡ／Ｄ共用チューナ１０８へ入力されている。
【００２２】
視聴者がケーブル放送のチャンネルを選局した場合、マイコン１０９はセレクタ１０４をＡ点に閉じさせ、第１のケーブル放送信号をＡ／Ｄ共用チューナ１０８に出力するよう制御する。一方、地上波放送のチャンネルを選局した場合、マイコン１０９はセレクタ１０４をＢ点に閉じさせ、地上波放送信号をＡ／Ｄ共用チューナ１０８に出力するように制御する。
【００２３】
地上波放送信号を選局している状態で、視聴者がケーブル放送のチャンネルの選局に移る場合の動作を以下に説明する。地上波放送信号を選局している状態であっても、第１の分配器１０３からの第２のケーブル放送信号は第１の出力端子１０５を介してＯＯＢチューナ１０７に入力されている。即ち、地上波放送信号を選局している状態であっても、ＯＯＢチューナ１０７は常時第２のケーブル放送信号或いはそのＯＯＢ信号を受信しているので、暗号キーやチャンネル情報等を復元できている。従って、地上波放送信号を選局している状態からケーブル放送のチャンネルの選局に移ろうとした際、Ａ／Ｄ共用チューナ１０８はＯＯＢチューナ１０７からの暗号キーやチャンネル情報等を基にして即座にケーブル放送のチャンネル選局を実施できる。
【００２４】
以上のように、本実施の形態によれば、常時ＯＯＢ信号を受信しつつ、地上波放送、ケーブル放送いずれのチャンネルも選局することが可能となる。
【００２５】
（実施の形態２）
図２は、本発明の実施の形態２におけるアンテナ切換え装置の構成を示すブロック図である。本実施の形態のアンテナ切換え装置は図２に示すように、実施の形態１の構成に対して第２の分配器２０１、第３の出力端子２０２、ＰＩＰ用チューナ２０３を更に備えている。図１と同一のブロックは同一の符号を付け、それらの説明を省略する。
【００２６】
第１の分配器１０３から出力される第２のケーブル放送信号は第２の分配器２０１に入力される。第２の分配器２０１は第２のケーブル放送信号を分配して第３のケーブル放送信号と第４のケーブル放送信号を出力する。第３のケーブル放送信号は第１の出力端子１０５を経由しＯＯＢチューナ１０７に出力される。第４のケーブル放送信号は第３の出力端子２０２を経由して２画面表示を行うためのチューナであるＰＩＰ用チューナ２０３に出力される。ＰＩＰはＰｉｃｔｕｒｅ  Ｉｎ  Ｐｉｃｔｕｒｅのことである。Ｐｉｃｔｕｒｅ  Ｉｎ  Ｐｉｃｔｕｒｅ機能は、同時に複数の放送チャネルの映像を画面に表示する機能である。複数の放送チャネルの映像を画面に表示する形態としては、一方の放送チャネルの映像を縮小して他方の放送チャネルの映像画面の一部に挿入する方式が一般的である。即ち、Ａ／Ｄ共用チューナ１０８で選局された放送の映像とＰＩＰ用チューナ２０３で選局された放送の映像とにおいて、一方の映像が縮小されて他方の映像の一部に挿入される。
【００２７】
視聴者がＡ／Ｄ共用チューナ１０８用に地上波放送チャンネルを選局させているときでも、ＯＯＢチューナ１０７およびＰＩＰ用チューナ２０３には常時ケーブル放送信号が入力されている。そのため、ＯＯＢ信号を常時受信しつつ、地上波放送とケーブル放送の２画面表示が可能となる。また、視聴者がＡ／Ｄ共用チューナ１０８用にケーブル放送を選局させている場合、ＯＯＢ信号を常時受信しながらケーブル放送の異なるチャンネルの２画面表示が可能となる。
【００２８】
なお、第３の出力端子２０２の前には必要応じて増幅器等が挿入される。図２にはその増幅器等は記載されていない。第３の出力端子２０２とその増幅器等で第３の出力手段が形成されている。
【００２９】
また、第２の分配器２０１の前後にも必要応じて増幅器等が挿入される。図２にはその増幅器等は記載されていない。第２の分配器２０１とその増幅器等で第２の分配手段が形成されている。
【００３０】
次に、実施の形態２における他の構成を図３とともに説明する。図３は実施の形態２における他の構成を示すブロック図である。図３の構成では、図２の構成での第２の分配器２０１が存在せず、図２での第１の分配器１０３の代わりに第３の分配器３０１が挿入されている。図２と同一のブロックは同一の符号を付け、それらの説明を省略する。
【００３１】
図３において、第１のアンテナ入力端子１０１に入力されたケーブル放送信号は、第３の分配器３０１で３つに分配される。この分配された３つの信号は、第１のケーブル放送信号と第３のケーブル放送信号と第４のケーブル放送信号とである。第１のケーブル放送信号はセレクタ１０４へ入力される。第３のケーブル放送信号は第２の出力端子１０５を介してＯＯＢチューナ１０７入力される。第４のケーブル放送信号は第３の出力端子２０２を介してＰＩＰ用チューナ２０３入力される。
【００３２】
尚、第３の分配器３０１の前後には必要応じて増幅器等が挿入される。図３にはその増幅器等は記載されていない。第３の分配器３０１とその増幅器等で第３の分配手段が形成されている。
【００３３】
図３の構成でも、図２での構成と同じ効果が得られることは言うまでもない。
【００３４】
ところで、本発明の実施の形態１および実施の形態２において、第２のアンテナ入力端子１０２に接続されるアンテナを地上波放送アンテナとしたが、衛星放送用アンテナとしても構わない。また、本発明の実施の形態２において、ＰＩＰ用チューナ２０３を裏録画用チューナとしても構わない。
【００３５】
以上のように本発明のアンテナ切換え装置によれば、ケーブル放送入力信号を分配して、その１つをＯＯＢチューナに常時入力する。こうすることで、常時ＯＯＢ信号を受信しつつ、地上波放送や衛星放送やケーブル放送何れのチャンネルも選局することが可能となる。
【産業上の利用可能性】
【００３６】
本発明によるアンテナ切換え装置及びその方法は、地上波放送や衛星放送を選局しているときでも、ケーブル放送のＯＯＢ信号を常時受信することが出来る。その為、地上波放送や衛星放送を選局している状態からケーブル放送のチャンネル選局を即座に実行することが可能である。
【図面の簡単な説明】
【００３７】
【図１】本発明の実施の形態１におけるアンテナ切換え装置の構成を示すブロック図
【図２】本発明の実施の形態２におけるアンテナ切換え装置の構成を示すブロック図
【図３】本発明の実施の形態２におけるアンテナ切換え装置の他の構成を示すブロック図
【図４】従来のアンテナ切換え装置の構成を示すブロック図
【符号の説明】
【００３８】
１０１  第１のアンテナ入力端子
１０２  第２のアンテナ入力端子
１０３  第１の分配器
１０４  セレクタ
１０５  第１の出力端子
１０６  第２の出力端子
１０７  ＯＯＢチューナ
１０８  Ａ／Ｄ共用チューナ
１０９  マイコン
２０１  第２の分配器
２０２  第３の出力端子
２０３  ＰＩＰ用チューナ
３０１  第３の分配器
【手続補正３】
【補正対象書類名】図面
【補正対象項目名】全図
【補正方法】変更
【補正の内容】
【図１】
2004071080.tif 000007
【図２】
2004071080.tif 000008
【図３】
2004071080.tif 000009
【図４】
2004071080.tif 000010
【国際調査報告】
2004071080.tif 000011
2004071080.tif 000012